(57)【特許請求の範囲】
【請求項１】
オーディオ・ビデオ信号が入力される複数のオーディオ・ビデオ信号入力部と、
他のオーディオ・ビデオ機器と通信する通信部と、
前記複数のオーディオ・ビデオ信号入力部のうち１つを選択して前記オーディオ・ビデオ信号を入力する入力選択部と、
前記通信部が、前記入力選択部の切り換えを要求する外部からの切換要求メッセージを受信したとき、この切換要求メッセージの内容に応じて前記入力選択部の選択を切り換える選択制御部と、
を備え、
前記選択制御部は、
入力維持モードを設定する手段を有し、
前記入力維持モードが設定されていないとき、前記外部からの切換要求メッセージを受信したら、前記選択の切り換えを行い、
前記入力維持モードが設定されているとき、前記外部からの切換要求メッセージを受信したら、前記選択の切り換えを行わず、該受信した切換要求メッセージが要求する切り換えと逆の切り換えを行う旨のメッセージであるリバースメッセージを前記通信部を介して外部へ送信する
オーディオ・ビデオ信号の入力切換装置。
【請求項２】
オーディオ・ビデオ信号が外部から入力されるオーディオ・ビデオ信号入力部と、
オーディオ・ビデオ信号を生成するオーディオ・ビデオ信号生成部と、
他のオーディオ・ビデオ機器と通信する通信部と、
前記オーディオ・ビデオ信号入力部またはオーディオ・ビデオ信号生成部のうち１つを選択して前記オーディオ・ビデオ信号を入力する入力選択部と、
前記通信部が、前記入力選択部の切り換えを要求する外部からの切換要求メッセージを受信したとき、この切換要求メッセージの内容に応じて前記入力選択部の選択を切り換える選択制御部と、
を備え、
前記選択制御部は、
入力維持モードを設定する手段を有し、
前記入力維持モードが設定されていないとき、前記外部からの切換要求メッセージを受信したら、前記選択の切り換えを行い、
前記入力維持モードが設定されているとき、前記外部からの切換要求メッセージを受信したら、前記選択の切り換えを行わず、該受信した切換要求メッセージが要求する切り換えと逆の切り換えを行う旨のメッセージであるリバースメッセージを前記通信部を介して外部へ送信する
オーディオ・ビデオ信号の入力切換装置。
【請求項３】
前記切換要求メッセージおよび前記リバースメッセージは、前記複数のオーディオ・ビデオ信号入力部に接続されている全ての機器に対してブロードキャストされる請求項１または請求項２に記載のオーディオ・ビデオ信号の入力切換装置。
【請求項４】
前記オーディオ・ビデオ信号入力部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ：高解像度マルチメディアインターフェース）のＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）パケットを受信して処理する処理部であり、
前記通信部は、前記ＨＤＭＩのＣＥＣ（Ｃｏｎｓｕｍｅｒ  Ｅｌｅｃｔｒｏｎｉｃｓ  Ｃｏｎｔｒｏｌ）インタフェースを含む処理部である
請求項１乃至請求項３のいずれかに記載のオーディオ・ビデオ信号の入力切換装置。
【請求項５】
前記選択制御部は、前記通信部から受信した入力維持モード設定メッセージに応じて前記入力維持モードを設定する請求項１乃至請求項４のいずれかに記載のオーディオ・ビデオ信号の入力切換装置。
【請求項６】
テレビ受像機などのシンク機器をルートデバイスとして、請求項５に記載の入力切換装置からなるリピータ機器、および、複数のソース機器をツリー状に接続したオーディオ・ビデオシステムであって、
前記シンク機器、リピータ機器、ソース機器のうち少なくともシンク機器が、前記入力維持モード設定メッセージを発行するオーディオ・ビデオシステム。
【請求項７】
オーディオ・ビデオ信号が入力される複数のオーディオ・ビデオ信号入力部と、他のオーディオ・ビデオ機器と通信する通信部と、前記複数のオーディオ・ビデオ信号入力部のうち１つを選択して前記オーディオ・ビデオ信号を入力する入力選択部と、を備えた装置で実行される方法であって、
前記通信部を介して受信した外部からの切換要求メッセージの内容に応じて前記入力選択部の選択を切り換える手順と、
入力維持モードを設定する手順と、
前記入力維持モードが設定されていないとき、前記外部からの切換要求メッセージを受信したら、前記選択の切り換えを行う手順と、
前記入力維持モードが設定されているとき、前記外部からの切換要求メッセージを受信したら、前記選択の切り換えを行わず、前記受信した切換要求メッセージが要求する切り換えと逆の切り換えを行う旨のメッセージであるリバースメッセージを前記通信部を介して外部へ送信する手順と、
を有するオーディオ・ビデオ信号の入力切換方法。
【請求項８】
オーディオ・ビデオ信号が外部から入力されるオーディオ・ビデオ信号入力部と、オーディオ・ビデオ信号を生成するオーディオ・ビデオ信号生成部と、他のオーディオ・ビデオ機器と通信する通信部と、前記オーディオ・ビデオ信号入力部またはオーディオ・ビデオ信号生成部のうち１つを選択して前記オーディオ・ビデオ信号を入力する入力選択部と、を備えた装置で実行される方法であって、
前記通信部を介して受信した外部からの切換要求メッセージの内容に応じて前記入力選択部の選択を切り換える手順と、
入力維持モードを設定する手順と、
前記入力維持モードが設定されていないとき、前記外部からの切換要求メッセージを受信したら、前記選択の切り換えを行う手順と、
前記入力維持モードが設定されているとき、前記外部からの切換要求メッセージを受信したら、前記選択の切り換えを行わず、前記受信した切換要求メッセージが要求する切り換えと逆の切り換えを行う旨のメッセージであるリバースメッセージを前記通信部を介して外部へ送信する手順と、
を有するオーディオ・ビデオ信号の入力切換方法。
【請求項９】
前記切換要求メッセージおよび前記リバースメッセージは、前記複数のオーディオ・ビデオ信号入力部に接続されている全ての機器に対してブロードキャストされる請求項７または請求項８に記載のオーディオ・ビデオ信号の入力切換方法。
【請求項１０】
前記オーディオ・ビデオ信号入力部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ：高解像度マルチメディアインターフェース）のＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）パケットを受信して処理する処理部であり、
前記通信部は、前記ＨＤＭＩのＣＥＣ（Ｃｏｎｓｕｍｅｒ  Ｅｌｅｃｔｒｏｎｉｃｓ  Ｃｏｎｔｒｏｌ）インタフェースを含む処理部である
請求項７乃至請求項９のいずれかに記載のオーディオ・ビデオ信号の入力切換方法。
【発明の詳細な説明】
【技術分野】
【０００１】
この発明は、複数のオーディオ・ビデオ信号のうち１つを選択して再生もしくは出力部から出力するオーディオ・ビデオ信号の入力切換装置、入力切換方法およびオーディオ・ビデオシステムに関する。
【背景技術】
【０００２】
オーディオ・ビデオ信号（ＡＶ信号）を、ソース機器、シンク機器間でデジタルで伝送する技術としてＨＤＭＩ（Ｈｉｇｈ−Ｄｅｆｉｎｉｔｉｏｎ  Ｍｕｌｔｉｍｅｄｉａ  Ｉｎｔｅｒｆａｃｅ：高解像度マルチメディアインターフェース）が実用化されている。ＨＤＭＩのオプション機能として、家電製品同士の相互連携操作を目的としたＣＥＣ（Ｃｏｎｓｕｍｅｒ  Ｅｌｅｃｔｒｏｎｉｃｓ  Ｃｏｎｔｒｏｌ）機能がある。このＣＥＣを用いてワンタッチプレイ、リモコンパススルー、システムスタンバイなどの連携動作を行う機能が実現されている。
【０００３】
ＨＤＭＩは、ＡＶストリーム信号を伝送するＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ラインのほか、制御信号を送信する種々のラインが設けられている。そのなかにＣＥＣメッセージを伝送するＣＥＣラインがある。複数のＨＤＭＩ入力端子を持つＡＶ機器の場合、ＴＭＤＳラインは選択された経路のみアクティブになり、ソース機器からシンク機器に向けた１方向の流れにＡＶ信号を伝送するが、ＣＥＣラインは、選択されていない機器も含め全ての機器とツリー構造状に接続され、機器同士は、ＣＥＣメッセージに付されたアドレス情報によって互いを識別し双方向に通信を行う。なお、複数のＨＤＭＩ入力端子を備え、そのいずれか１つを選択する機能を有するＡＶ機器はＣＥＣスイッチと呼ばれる。ＡＶシステムにおいて、ＡＶアンプ、テレビ受像機等がＣＥＣスイッチの機能を有している。
【０００４】
図１を参照してＣＥＣの機能について説明する。図１はＣＥＣスイッチを含むＡＶシステムの一例を示す図である。切換機能を持つＡＶアンプ５００に、シンク機器としてテレビ受像機５０１、ソース機器としてＤＶＤプレーヤ５０２およびセットトップボックス（ＳＴＢ）５０３が接続されている。ＡＶアンプ５００は、複数の入力（この例の場合には、ＤＶＤプレーヤ５０２およびセットトップボックス５０３）のうち、１つを選択してテレビ受像機５０１に出力する機能を有しておりＣＥＣスイッチである。
【０００５】
このような接続形態のＡＶシステムで、ＤＶＤプレーヤ５０２のプレイスイッチがオンされると、ＤＶＤプレーヤ５０２がＣＥＣメッセージ（Ａｃｔｉｖｅ  Ｓｏｕｒｃｅメッセージ）を出力し、これによってＡＶアンプ５００は、入力をＤＶＤプレーヤ５０２側に切り換える。また、セットトップボックス５０３の電源がオンされると、同様にセットトップボックス５０３からＣＥＣメッセージ（Ａｃｔｉｖｅ  Ｓｏｕｒｃｅメッセージ）が出力され、これによってＡＶアンプ５００は、入力をセットトップボックス５０３側に切り換える。なお、このようなＨＤＭＩ接続に関する技術としては特許文献１のようなものがある。
【先行技術文献】
【特許文献】
【０００６】
【特許文献１】特開２００８−０５４３００号公報
【発明の概要】
【発明が解決しようとする課題】
【０００７】
図１の例で、ユーザがＤＶＤプレーヤ５０２でディスクを再生してテレビ受像機５０１で視聴しているときに、セットトップボックス５０３が自分で電源オンする場合がある。たとえば、録画のためのタイマ機能などである。この場合、セットトップボックス５０３は、電源オンに伴ってＡｃｔｉｖｅ  Ｓｏｕｒｃｅメッセージを出力するため、ＡＶアンプ５００は、ユーザがＤＶＤプレーヤ５０２のコンテンツを視聴しているにもかかわらず、入力をセットトップボックス５０３側に切り換えてしまうという問題点があった。
【０００８】
この発明は、ユーザが望むＡＶ信号の伝送経路を維持できるオーディオ・ビデオ信号の入力切換装置、入力切換方法およびオーディオ・ビデオシステムを提供することを目的とする。
【課題を解決するための手段】
【０００９】
第１の発明であるオーディオ・ビデオ信号の入力切換装置は、オーディオ・ビデオ信号が入力される複数のオーディオ・ビデオ信号入力部と、他のオーディオ・ビデオ機器と通信する通信部と、前記複数のオーディオ・ビデオ信号入力部のうち１つを選択する入力選択部と、前記通信部が、前記入力選択部の切り換えを要求する外部からの切換要求メッセージを受信したとき、この切換要求メッセージの内容に応じて前記入力選択部の選択を切り換える選択制御部と、を備え、
前記選択制御部は、入力維持モードを設定する手段を有し、前記入力維持モードが設定されていないとき、前記外部からの切換要求メッセージを受信したら、前記選択の切り換えを行い、前記入力維持モードが設定されているとき、前記外部からの切換要求メッセージを受信したら、前記選択の切り換えを行わず、該受信した切換要求メッセージが要求する切り換えと逆の切り換えを行う旨のメッセージであるリバースメッセージを前記通信部を介して外部へ送信することを特徴とする。
【００１０】
第２の発明であるオーディオ・ビデオ信号の入力切換装置は、オーディオ・ビデオ信号が入力されるオーディオ・ビデオ信号入力部と、オーディオ・ビデオ信号を生成するオーディオ・ビデオ信号生成部と、他のオーディオ・ビデオ機器と通信する通信部と、前記オーディオ・ビデオ信号入力部またはオーディオ・ビデオ信号生成部のうち１つを選択する入力選択部と、前記通信部が、前記入力選択部の切り換えを要求する外部からの切換要求メッセージを受信したとき、この切換要求メッセージの内容に応じて前記入力選択部の選択を切り換える選択制御部と、を備え、
前記選択制御部は、入力維持モードを設定する手段を有し、前記入力維持モードが設定されていないとき、前記外部からの切換要求メッセージを受信したら、前記選択の切り換えを行い、前記入力維持モードが設定されているとき、前記外部からの切換要求メッセージを受信したら、前記選択の切り換えを行わず、該受信した切換要求メッセージが要求する切り換えと逆の切り換えを行う旨のメッセージであるリバースメッセージを前記通信部を介して外部へ送信することを特徴とする。
なお、前記切換要求メッセージおよび前記リバースメッセージは、前記複数のオーディオ・ビデオ信号入力部に接続されている全ての機器に対してブロードキャストされるようにしてもよい。
【００１１】
なお、前記オーディオ・ビデオ信号入力部を、ＨＤＭＩのＴＭＤＳパケットを受信して処理する処理部とし、前記通信部を、前記ＨＤＭＩのＣＥＣインタフェースを含む処理部としてもよい。
【００１２】
また、前記選択制御部が、前記通信部から受信した入力維持モード設定メッセージに応じて前記入力維持モードを設定するようにしてもよい。
【００１３】
第３の発明は、テレビ受像機などのシンク機器をルートデバイスとして、上記入力切換装置からなるリピータ機器、および、複数のソース機器をツリー状に接続したオーディオ・ビデオシステムであって、前記シンク機器、リピータ機器、ソース機器のうち少なくともシンク機器が、前記入力維持モード設定メッセージを発行することを特徴とする。
【００１４】
第４の発明であるオーディオ・ビデオ信号の入力切換方法は、オーディオ・ビデオ信号が入力される複数のオーディオ・ビデオ信号入力部と、他のオーディオ・ビデオ機器と通信する通信部と、前記複数のオーディオ・ビデオ信号入力部のうち１つを選択して前記オーディオ・ビデオ信号を入力する入力選択部と、を備えた装置で実行される方法であって、
前記通信部を介して受信した外部からの切換要求メッセージの内容に応じて前記入力選択部の選択を切り換える手順と、入力維持モードを設定する手順と、前記入力維持モードが設定されていないとき、前記外部からの切換要求メッセージを受信したら、前記選択の切り換えを行う手順と、前記入力維持モードが設定されているとき、前記外部からの切換要求メッセージを受信したら、前記選択の切り換えを行わず、前記受信した切換要求メッセージが要求する切り換えと逆の切り換えを行う旨のメッセージであるリバースメッセージを前記通信部を介して外部へ送信する手順と、を有することを特徴とする。
【００１５】
第５の発明であるオーディオ・ビデオ信号の入力切換方法は、オーディオ・ビデオ信号が外部から入力されるオーディオ・ビデオ信号入力部と、オーディオ・ビデオ信号を生成するオーディオ・ビデオ信号生成部と、他のオーディオ・ビデオ機器と通信する通信部と、前記オーディオ・ビデオ信号入力部またはオーディオ・ビデオ信号生成部のうち１つを選択して前記オーディオ・ビデオ信号を入力する入力選択部と、を備えた装置で実行される方法であって、
前記通信部を介して受信した外部からの切換要求メッセージの内容に応じて前記入力選択部の選択を切り換える手順と、入力維持モードを設定する手順と、前記入力維持モードが設定されていないとき、前記外部からの切換要求メッセージを受信したら、前記選択の切り換えを行う手順と、前記入力維持モードが設定されているとき、前記外部からの切換要求メッセージを受信したら、前記選択の切り換えを行わず、前記受信した切換要求メッセージが要求する切り換えと逆の切り換えを行う旨のメッセージであるリバースメッセージを前記通信部を介して外部へ送信する手順と、を有することを特徴とする。
なお、前記切換要求メッセージおよび前記リバースメッセージは、前記複数のオーディオ・ビデオ信号入力部に接続されている全ての機器に対してブロードキャストされるようにしてもよい。
【００１６】
なお、前記オーディオ・ビデオ信号入力部を、ＨＤＭＩのＴＭＤＳパケットを受信して処理する処理部とし、前記通信部を、前記ＨＤＭＩのＣＥＣインタフェースを含む処理部としてもよい。
【発明の効果】
【００１７】
この発明によれば、入力維持モードによってユーザが視聴したいＡＶ信号の経路が維持されるとともに、システム上の他の機器もその維持された経路を有効な経路として認識することが可能になる。
【図面の簡単な説明】
【００１８】
【図１】一般的なＡＶシステムの構成図
【図２】本発明の実施形態であるＡＶシステムの接続形態を示す図
【図３】ＣＥＣの論理アドレステーブルを示す図
【図４】ＡＶ機器のＨＤＭＩに関連する部分のブロック図
【図５】Ａｃｔｉｖｅ  ｓｏｕｒｃｅメッセージがブロードキャストされた場合のＴＭＤＳラインの切り換えを説明する図
【図６】Ｓｅｔ  Ｓｔｒｅａｍ  Ｐａｔｈメッセージがブロードキャストされた場合のＴＭＤＳラインの切り換えを説明する図
【図７】Ｒｏｕｔｉｎｇ  Ｃｈａｎｇｅメッセージがブロードキャストされた場合のＴＭＤＳラインの切り換えを説明する図
【図８】ＣＥＣスイッチの入力維持モードに関する動作を示すフローチャート
【図９】入力維持モードの他の形態において、Ａｃｔｉｖｅ  ｓｏｕｒｃｅメッセージがブロードキャストされた場合のＴＭＤＳラインの切り換えを説明する図
【図１０】入力維持モードの他の形態において、Ａｃｔｉｖｅ  ｓｏｕｒｃｅメッセージがブロードキャストされた場合のシーケンス図
【図１１】入力維持モードの他の形態において、Ｓｅｔ  Ｓｔｒｅａｍ  Ｐａｔｈメッセージがブロードキャストされた場合のＴＭＤＳラインの切り換えを説明する図
【図１２】入力維持モードの他の形態において、Ｓｅｔ  Ｓｔｒｅａｍ  Ｐａｔｈメッセージがブロードキャストされた場合のシーケンス図
【図１３】ＡＶシステムの各機器の入力維持モードの設定／解除に関する動作を示すフローチャート
【発明を実施するための形態】
【００１９】
《ＡＶシステムの説明》
図２は、この発明が適用されるＡＶ（オーディオ・ビデオ）システムの構成を示す図である。この図は、複数の機器（デバイス）の接続形態すなわちツリー構造を示している。１１台の機器が図示のようなツリー構造で、ＡＶ機器を接続するインタフェースであるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ：高解像度マルチメディアインターフェース）により接続されている。ツリー上の各機器には、ＨＤＭＩの機能により物理アドレスが付され、ＨＤＭＩのオプションであるＣＥＣ（Ｃｏｎｓｕｍｅｒ  Ｅｌｅｃｔｒｏｎｉｃｓ  Ｃｏｎｔｒｏｌ）の機能により論理アドレスが付されている。物理アドレスは、その機器のツリー内での位置を示すアドレスであり、論理アドレスは、その機器の機能を表すアドレスである。
【００２０】
ツリーの最上位に配置されているのがルートデバイス１０である。ルートデバイス１０には０．０．０．０の物理アドレスが付与される。ルートデバイス１０は、ＡＶストリーム信号の最下流に位置するためシンク機器である。一般的にテレビ受像機などの表示装置がルートデバイス１０となる。テレビ受像機には、図３の論理アドレステーブルに示すように、論理アドレス０が割り当てられる。以下の説明においては、ルートデバイス１０について、シンク機器１０またはテレビ受像機１０の用語を併用する。
【００２１】
このルートデバイス１０から下位４階層に１０台の機器が接続されており、その階層および接続順に物理アドレスが付されている。ＨＤＭＩ規格では、ルートデバイス１０以下物理アドレスの割当範囲内に４階層までの階層的な接続が可能であるとともに、ルートデバイス１０から第３階層までの各機器に対して、直下の階層に１５台までの機器を並列に接続することが可能である。そして、この接続形態を判りやすく表すために、ルートデバイス１０の物理アドレスを０．０．０．０とし、各桁が各階層における枝（入力端子）番号を表すように、ツリー上の各機器に対してＡ．Ｂ．Ｃ．Ｄ（各値の範囲：０ｈ〜Ｆｈ）の物理アドレスが割り振られている。
【００２２】
すなわち、ルートデバイス１０（物理アドレス：０．０．０．０）の下位側（入力１，２）に接続されている第１階層の２台の機器１１、１２は、それぞれ１．０．０．０および２．０．０．０の物理アドレスが割り当てられている。機器１１（物理アドレス：１．０．０．０）の下位側（入力１，２）に接続されている第２階層の２台の機器１３、１４は、それぞれ１．１．０．０および１．２．０．０の物理アドレスが割り当てられている。機器１２（物理アドレス：２．０．０．０）の下位側（入力１，２）に接続されている第２階層の２台の機器１５、１６は、それぞれ２．１．０．０および２．２．０．０の物理アドレスが割り当てられている。機器１３（物理アドレス：１．１．０．０）の下位側（入力１，２）に接続されている第３階層の２台の機器１７、１８は、それぞれ１．１．１．０および１．１．２．０の物理アドレスが割り当てられている。機器１８（物理アドレス：１．１．２．０）の下位側（入力１，２）に接続されている第４階層の２台の機器１９、２０は、それぞれ１．１．２．１および１．１．２．２の物理アドレスが割り当てられている。
【００２３】
ＨＤＭＩの通信ラインは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン、ＤＤＣ（Ｄｉｓｐｌａｙ  Ｄａｔａ  Ｃｈａｎｎｅｌ）ライン、ＣＥＣラインなどがある。ＴＭＤＳラインは、ＡＶストリーム信号を上流の機器から下流の機器に向けて伝送するラインである。ＤＤＣラインは、ＴＭＤＳラインのＡＶストリームをコンテンツ保護するためのＨＤＣＰ認証に用いられる他、物理アドレスの上位側（ＴＭＤＳ信号の下流側）の機器から下位側（ＴＭＤＳ信号の上流側）の機器に物理アドレス情報をＥＤＩＤ（Ｅｘｔｅｎｄｅｄ  Ｄｉｓｐｌａｙ  Ｉｄｅｎｔｉｆｉｃａｔｉｏｎ  Ｄａｔａ）経由で提供する。ＣＥＣラインは、ツリー接続された全機器に共通の双方向バスが形成されるように接続されており、複数の機器を連携して動作させるためのメッセージ（ＣＥＣメッセージ）が伝送される。ＴＭＤＳラインは、下位（上流）の機器から上位（下流）の機器へ一方向にＡＶストリーム信号を転送するのに対して、ＣＥＣラインは、双方向バスとしてＣＥＣメッセージを双方向に転送する。
【００２４】
ここで、ツリーの各枝の下端にある機器１４（物理アドレス：１．２．０．０），１５（物理アドレス：２．１．０．０），１６（物理アドレス：２．２．０．０），１７（物理アドレス：１．１．１．０），１９（物理アドレス：１．１．２．１），２０（物理アドレス：１．１．２．２）は、それぞれソース機器である。ソース機器とは、たとえばＤＶＤプレーヤ、ハードディスクレコーダ、セット・トップ・ボックス（ＳＴＢ）、ビデオカメラ、パーソナルコンピュータなどの、ＡＶコンテンツを再生、生成（以下、「再生、生成」を単に「生成」と呼ぶ）して出力する機能を有する機器である。ＡＶコンテンツはストリーム信号化されてＨＤＭＩのＴＭＤＳラインを転送される。また、ツリー構造の途中にある機器１１（物理アドレス：１．０．０．０），１２（物理アドレス：２．０．０．０），１３（物理アドレス：１．１．０．０），１８（物理アドレス：１．１．２．０）は、リピータ機器である。この図の各リピータ機器は、下位に複数の機器を接続してツリーを枝分かれさせており、これら複数の枝のいずれかのＨＤＭＩ入力（ＴＭＤＳライン）を切り換え可能に選択する機能を有するためＣＥＣスイッチと呼ばれる。ＣＥＣスイッチ１１，１２はたとえばＡＶアンプであり、ＣＥＣスイッチ１６、１７は、たとえばＨＤＭＩ切換装置である。これらソース機器１４，１５，１６，１７，１９，２０およびＣＥＣスイッチ１１，１２，１６，１７に対しては、図３のテーブルに示すようにそれぞれの機器の機能に応じた論理アドレスが割り当てられる。
【００２５】
なお、ツリーの階層は、ルートデバイス１０が最上位であるが、ＡＶストリーム信号の流れは、ソース機器１４，１５，１６，１７，１９，２０が最上流であり、ルートデバイス（シンク機器）１０が最下流である。
【００２６】
図２において、ソース機器１４（物理アドレス１．２．０．０）が生成したＡＶコンテンツをシンク機器１０で再生する場合、シンク機器１０のＴＭＤＳ入力を入力１（物理アドレス１．０．０．０側）に切り換え、ＣＥＣスイッチ１１のＴＭＤＳ入力を入力２（物理アドレス１．２．０．０側）すなわちソース機器１４側に切り換える。ＣＥＣスイッチ１２，１３，１８のＴＭＤＳ入力がどちらの入力に切り換えられているかは不問である。
【００２７】
ソース機器１５（物理アドレス２．１．０．０）が生成したＡＶコンテンツをシンク機器１０で再生する場合、シンク機器１０のＴＭＤＳ入力を入力２（物理アドレス２．０．０．０側）に切り換え、ＣＥＣスイッチ１２のＴＭＤＳ入力を入力１（物理アドレス２．１．０．０側）すなわちソース機器１５側に切り換える。ＣＥＣスイッチ１１，１３，１８のＴＭＤＳ入力がどちらの入力に切り換わっているかは不問である。同様に、ソース機器１６（物理アドレス２．２．０．０）が生成したＡＶコンテンツをシンク機器１０で再生する場合、シンク機器１０のＴＭＤＳ入力を入力２（物理アドレス２．０．０．０側）に切り換え、ＣＥＣスイッチ１２のＴＭＤＳ入力を入力２（物理アドレス２．２．０．０側）すなわちソース機器１６側に切り換える。ＣＥＣスイッチ１１，１３，１８のＴＭＤＳ入力がどちらの入力に切り換わっているかは不問である。
【００２８】
ソース機器１７（物理アドレス１．１．１．０）が再生したＡＶコンテンツをシンク機器１０で再生する場合、シンク機器１０のＴＭＤＳ入力を入力１（物理アドレス１．０．０．０側）に切り換え、ＣＥＣスイッチ１１のＴＭＤＳ入力を入力１（物理アドレス１．１．０．０側）に切り換え、ＣＥＣスイッチ１３のＴＭＤＳ入力を入力１（物理アドレス１．１．１．０側）すなわちソース機器１７側に切り換える。ＣＥＣスイッチ１２，１８のＴＭＤＳ入力がどちらの入力に切り換わっているかは不問である。
【００２９】
ソース機器１９（物理アドレス１．１．２．１）が生成したＡＶコンテンツをシンク機器１０で再生する場合、シンク機器１０のＴＭＤＳ入力を入力１（物理アドレス１．０．０．０側）に切り換え、ＣＥＣスイッチ１１のＴＭＤＳ入力を入力１（物理アドレス１．１．０．０側）に切り換え、ＣＥＣスイッチ１３のＴＭＤＳ入力を入力２（物理アドレス１．１．２．０側）に切り換え、ＣＥＣスイッチ１８のＴＭＤＳ入力を入力１（物理アドレス１．１．２．１側）すなわちソース機器１９側に切り換える。ＣＥＣスイッチ１２のＴＭＤＳ入力がどちらの入力に切り換わっているかは不問である。同様に、ソース機器２０（物理アドレス１．１．２．２）が生成したＡＶコンテンツをシンク機器１０で再生する場合、シンク機器１０のＴＭＤＳ入力を入力１（物理アドレス１．０．０．０側）に切り換え、ＣＥＣスイッチ１１のＴＭＤＳ入力を入力１（物理アドレス１．１．０．０側）に切り換え、ＣＥＣスイッチ１３のＴＭＤＳ入力を入力２（物理アドレス１．１．２．０側）に切り換え、ＣＥＣスイッチ１８のＴＭＤＳ入力を入力１（物理アドレス１．１．２．２側）すなわちソース機器２０側に切り換える。ＣＥＣスイッチ１２のＴＭＤＳ入力がどちらの入力に切り換わっているかは不問である。
【００３０】
《ＨＤＭＩ周辺の構成の説明》
図４は、上記ＡＶシステムの各機器のＨＤＭＩに関連する構成を説明するブロック図である。この図では、説明を容易にするために、シンク機器１０、ＣＥＣスイッチ１２、および、ソース機器１５，１６のみの構成を示す。なお、上述したように、ソース機器１５、１６は、例えばＨＤＭＩ出力端子を持つＤＶＤプレーヤやＨＤＤレコーダなどである。ＣＥＣスイッチ１２は、ＨＤＭＩ入力端子と出力端子とを持つＡＶアンプなどである。シンク機器１０は、ＨＤＭＩ入力端子をもつテレビ受像機などである。
【００３１】
ソース機器１５は、メイン基板５０、ＨＤＭＩ用のマイコン５１、ＣＥＣインタフェース５２、ＨＤＭＩトランスミッタ５４およびＨＤＭＩ出力部５８を備えている。メイン基板５０は、メインＣＰＵを備え、映像信号および／または音声信号を含むＡＶ信号を生成する。例えば、このソース機器１５がＤＶＤプレーヤであれば、ＤＶＤに記録されているデータを読み出してデコードし、ＡＶ信号として出力する。ＨＤＭＩトランスミッタ５４は、メイン基板５０から入力されたＡＶ信号をストリーム信号に変換し、このＡＶストリーム信号を、ＨＤＭＩ出力部５８、およびＨＤＭＩケーブル６０のＴＭＤＳライン６１を介してＣＥＣスイッチ１２へ転送する。
【００３２】
マイコン５１は、メイン基板５０のオン／オフにかかわらず常に動作している。マイコン５１に接続されているＣＥＣインタフェース５２は、ＨＤＭＩ出力部５８を介して、ＨＤＭＩケーブル６０のＣＥＣライン６２に接続されている。マイコン５１は、ＣＥＣインタフェース５２のほか、図示しないリモコン受信部やタイマなどを監視し、ＣＥＣインタフェース５２が受信したＣＥＣメッセージ、または、リモコン受信部、タイマから入力された信号に基づいてメイン基板５０のオン／オフを制御するとともに、メイン基板５０に対して、ＣＥＣインタフェース５２が受信したメッセージやリモコン受信部、タイマから入力された信号の内容を通知する。また、マイコン５１は、メイン基板５０から入力されたコマンドをＣＥＣメッセージに編集し、ＣＥＣインタフェース５２、ＨＤＭＩ出力部５８を介してＣＥＣライン６２に送出する。
以上はソース機器１５についての説明であるが、ソース機器１６も同様の構成であるため、説明を省略する。
【００３３】
ＣＥＣスイッチ１２は、メイン基板４０、ＨＤＭＩ用のマイコン４１、ＣＥＣインタフェース４２、ＨＤＭＩレシーバ４３、ＨＤＭＩトランスミッタ４４、ＨＤＭＩセレクタ４５、ＨＤＭＩ入力部４６，４７、および、ＨＤＭＩ出力部４８を備えている。ＨＤＭＩセレクタ４５は、ＨＤＭＩ入力部４６，４７の入力のうちＴＭＤＳライン６１に接続されるＴＭＤＳ端子４６Ａ，４７Ａのみを選択する。ＣＥＣライン６２に接続される４６Ｂ，４７Ｂは、ＨＤＭＩセレクタ４５を通らずに、ＨＤＭＩ出力部４８のＣＥＣ端子４８Ｂとともに、ＣＥＣインタフェース４２により相互に接続されている。
【００３４】
ＨＤＭＩセレクタ４５は、選択したＨＤＭＩ入力部４６または４７から入力されたＡＶトスリーム信号をＨＤＭＩレシーバ４３に入力する。ＨＤＭＩレシーバ４３は、ＡＶストリーム信号を受信して、ビデオ信号、オーディオ信号、同期信号などからなるＡＶ信号に復調し、このＡＶ信号をメイン基板４０に入力する。メイン基板４０は、入力されたＡＶ信号を処理する。たとえば、このＣＥＣスイッチ１２がＡＶアンプであれば、オーディオ信号を、イコライズ、リップシンク、増幅などの処理をしたのちスピーカへ出力する。そしてさらに、ＡＶ信号をそのままＨＤＭＩトランスミッタ４４に出力する。なお、このＣＥＣスイッチ１２がＨＤＭＩ切換装置であれば、ＡＶ信号をＨＤＭＩレシーバ４３から直接ＨＤＭＩトランスミッタ４４に転送する。ＨＤＭＩトランスミッタ４４は、入力されたＡＶ信号をストリーム信号に変換し、このＡＶストリーム信号をＨＤＭＩ出力部４８からシンク機器１０へ送出する。
【００３５】
マイコン４１は、メイン基板４０のオン／オフにかかわらず常に動作している。マイコン４１に接続されているＣＥＣインタフェース４２は、上述したように、ＨＤＭＩ入力部４６，４７を介してＨＤＭＩケーブル６０のＣＥＣライン６１に接続されているとともに、ＨＤＭＩ出力部４８を介してＨＤＭＩケーブル６０のＣＥＣライン６２に接続されている。マイコン４１は、ＣＥＣインタフェース４２のほか、図示しないリモコン受信部やタイマなどを監視し、ＣＥＣインタフェース４２が受信したＣＥＣメッセージ、または、リモコン受信部、タイマから入力された信号に基づいてメイン基板４０のオン／オフを制御するとともに、メイン基板４０に対して、ＣＥＣインタフェース４２が受信したメッセージやリモコン受信部、タイマから入力された信号の内容を通知する。また、マイコン４１は、メイン基板４０から入力されたコマンドをＣＥＣメッセージに編集し、ＣＥＣインタフェース４２、ＨＤＭＩ入力部４６，４７およびＨＤＭＩ出力部４８を介してＣＥＣライン６２に送出する。
【００３６】
シンク機器１０は、メイン基板３０、ＨＤＭＩ用のマイコン３１、ＣＥＣインタフェース３２、ＨＤＭＩレシーバ３３、および、ＨＤＭＩ入力部３６を備えている。なお、図２に示したシンク機器１０は、ＣＥＣスイッチ１２と同様に複数（２つ）のＨＤＭＩ入力部を有しているが、この図では省略している。
【００３７】
ＨＤＭＩ入力部３６から入力されたＡＶトスリーム信号はＨＤＭＩレシーバ３３に入力される。ＨＤＭＩレシーバ３３は、ＡＶストリーム信号を受信して、ビデオ信号、オーディオ信号、同期信号などからなるＡＶ信号に復調し、このＡＶ信号をメイン基板３０に入力する。メイン基板３０は、オーディオ信号をオーディオ回路に入力するとともに、ビデオ信号をビデオメモリに展開してディスプレイに表示する等の処理を行う。
【００３８】
マイコン３１は、メイン基板３０のオン／オフにかかわらず常に動作している。マイコン３１に接続されているＣＥＣインタフェース３２は、ＨＤＭＩ入力部３６を介してＨＤＭＩケーブル６０のＣＥＣライン６２に接続されている。マイコン３１は、ＣＥＣインタフェース３２のほか、図示しないリモコン受信部やタイマなどを監視し、ＣＥＣインタフェース３２が受信したＣＥＣメッセージ、または、リモコン受信部、タイマから入力された信号に基づいてメイン基板３０のオン／オフを制御するとともに、メイン基板３０に対して、ＣＥＣインタフェース３２が受信したメッセージやリモコン受信部、タイマから入力された信号の内容を通知する。また、マイコン３１は、メイン基板３０から入力されたコマンドをＣＥＣメッセージに編集し、ＣＥＣインタフェース３２、ＨＤＭＩ入力部３６を介してＣＥＣライン６２に送出する。
【００３９】
《ワンタッチプレイ機能の説明》
ＨＤＭＩのＣＥＣを用いたシステム制御機能には、ワンタッチプレイ（ｏｎｅ−ｔｏｕｃｈ  ｐｌａｙ）機能やリモコンパススルー（ｒｅｍｏｔｅ  ｃｏｎｔｒｏｌ  ｐａｓｓ−ｔｈｒｏｕｇｈ）機能などがある。ワンタッチプレイ機能とは、ＤＶＤプレーヤなどのソース機器の再生動作に連動して、システム内の必要な機器が自動的に電源オンし、このソース機器からテレビ受像機１０に至るＡＶストリーム信号の伝送経路が自動的にアクティブにされる機能である。すなわち、ユーザがＤＶＤプレーヤにディスクを挿入し再生ボタンを押すと、ＤＶＤプレーヤからＣＥＣメッセージ（Ａｃｔｉｖｅ  Ｓｏｕｒｃｅメッセージ）が発行され、ＤＶＤプレーヤからテレビ受像機１０に至るツリーの枝上にあるＣＥＣスイッチがこの伝送経路を有効にするように入力を切り換える。同時に、テレビ受像機１０における必要な操作（電源オンなど）を行わせるＣＥＣメッセージも同時に発行され、ユーザがＤＶＤプレーヤに対するワンタッチ操作のみでＤＶＤのコンテンツをテレビ受像機１０で再生させることが可能になるというものである。
【００４０】
また、リモコンパススルー機能とは、ユーザが、ある機器（たとえばテレビ受像機１０）に対するリモコン操作によって、そのときアクティブな（若しくはそのとき認識されている）ソース機器を操作できる機能である。テレビ受像機１０は、受信したリモコン信号を解釈し、ＣＥＣメッセージに変換して現在アクティブなソース機器に対して送信する。テレビリモコンで入力可能な種々のコマンド、たとえば再生機器や録画機器の再生（プレイバック）操作やメニュー操作などがＣＥＣメッセージに変換される。これにより、ユーザは、テレビ受像機１０のリモコンをソース機器のリモコンに持ち替えることなくソース機器を操作することができる。
【００４１】
以下、図面を参照してワンタッチプレイ機能について説明する。  
ユーザが、いずれかのソース機器に対してＡＶコンテンツの生成を開始させる操作をしたとき、そのソース機器はＡＶコンテンツを再生してテレビ受像機１０（論理アドレス：０）に向けてＡＶストリーム信号の転送を開始しようとする。このとき、ソース機器は、自己の保有する物理アドレス（Ａ．Ｂ．Ｃ．Ｄ）を引数に付けたＡｃｔｉｖｅ  Ｓｏｕｒｃｅメッセージ＜Ａｃｔｉｖｅ  Ｓｏｕｒｃｅ＞［Ａ．Ｂ．Ｃ．Ｄ］をブロードキャストする。なお、ブロードキャストとは、ＨＤＭＩで接続されている全ての機器を宛先としたＣＥＣメッセージの発行である。これに応じて、テレビ受像機１０、および、テレビ受像機１０とソース機器（Ａ．Ｂ．Ｃ．Ｄ）との間に位置するＣＥＣスイッチは、テレビ受像機１０とソース機器間のＡＶストリーム信号の伝送経路をアクティブにするため入力を切り換える。
【００４２】
たとえば、図５に示すように、ソース機器２０（物理アドレス：１．１．２．２）から＜Ａｃｔｉｖｅ  Ｓｏｕｒｃｅ＞［１．１．２．２］がブロードキャストされた場合、ＣＥＣスイッチ１８（物理アドレス：１．１．２．０）が入力を入力２（物理アドレス１．１．２．２側）に切り換え、ＣＥＣスイッチ１３（物理アドレス：１．１．０．０）が入力を入力２（物理アドレス１．１．２．０側）に切り換え、ＣＥＣスイッチ１１（物理アドレス：１．０．０．０）が入力を入力１（物理アドレス１．１．０．０側）に切り換え、テレビ受像機１０（物理アドレス：０．０．０．０）が入力を入力１（物理アドレス１．０．０．０側）に切り換える。ここで、「切り換え」とは、元々切換先の入力が選択されている場合にその選択状態を維持することを含んでいる。これにより、ソース機器２０（物理アドレス：１．１．２．２）から、テレビ受像機１０（論理アドレス０、物理アドレス０．０．０．０）へのＡＶストリーム信号の伝送経路がアクティブになる。
【００４３】
同時に、論理アドレス０のシンク機器であるテレビ受像機１０には、現在再生中の（アクティブな）ソース機器がソース機器２０であることが記憶される。これにより、テレビ受像機１０に対するリモコンコードの入力に応じてテレビ受像機１０が発行するリモコンパススルーのメッセージは、テレビ受像機１０からソース機器２０宛に送信される。
【００４４】
なお、Ａｃｔｉｖｅ  Ｓｏｕｒｃｅメッセージの発行は、ユーザの操作に基づく場合に限定されない。たとえば、タイマによる起動などに基づいて発行してもよい。
【００４５】
逆に、テレビ受像機１０から、特定のソース機器を指定して、その機器までのＡＶストリーム信号の伝送経路をアクティブにさせたい場合、指定する機器の物理アドレスＡ．Ｂ．Ｃ．Ｄを引数に付けて＜Ｓｅｔ  Ｓｔｒｅａｍ  Ｐａｔｈ＞［Ａ．Ｂ．Ｃ．Ｄ］メッセージがブロードキャストされる。これに応じて、テレビ受像機１０と指定されソース機器との間に位置するＣＥＣスイッチは、テレビ受像機１０と物理アドレスで指定された機器間のＡＶストリーム信号の伝送経路をアクティブにするため入力切換をする。
【００４６】
図６は、テレビ受像機１０（物理アドレス：０．０．０．０）から、ソース機器１９（物理アドレス：１．１．２．１）へのＡＶストリーム信号の伝送経路をアクティブにするためのメッセージである＜Ｓｅｔ  Ｓｔｒｅａｍ  Ｐａｔｈ＞［１．１．２．１］がブロードキャストされたときのＴＭＤＳラインの切り換え形態を示す図である。この場合、ＣＥＣスイッチ１１（物理アドレス：１．０．０．０）が入力を入力１（物理アドレス１．１．０．０側）に切り換え、ＣＥＣスイッチ１３（物理アドレス：１．１．０．０）が入力を入力２（物理アドレス１．１．２．０側）に切り換え、ＣＥＣスイッチ１８（物理アドレス：１．１．２．０）が入力を入力２（物理アドレス１．１．２．１側）に切り換える。なお、テレビ受像機１０は、ＣＥＣメッセージによらず内部の制御により入力を入力１（物理アドレス１．０．０．０側）に切り換えている。ここで、「切り換え」とは、元々切換先の入力が選択されている場合にその選択状態を維持することを含んでいる。これにより、テレビ受像機１０（物理アドレス０．０．０．０）からソース機器１９（物理アドレス：１．１．２．１）までのＡＶストリーム信号の伝送経路がアクティブになる。
【００４７】
なお、指定された物理アドレスに位置する機器（図６の例の場合、ソース機器１９）は、ＡＶストリーム信号を安定して出力可能な状態にあれば、＜Ａｃｔｉｖｅ  Ｓｏｕｒｃｅ＞メッセージをブロードキャストする。
【００４８】
これにより、現在アクティブなソース機器がソース機器１９であることがテレビ受像機１０に記憶され、以後のリモコンパススルーのメッセージはソース機器１９宛に送信される。
【００４９】
また、ＣＥＣスイッチが、ユーザにより直接操作され、ＨＤＭＩの入力が切り換えられた場合には、Ｒｏｕｔｉｎｇ  Ｃｈａｎｇｅメッセージが発行される。Ｒｏｕｔｉｎｇ  Ｃｈａｎｇｅメッセージは、切換元のＨＤＭＩ入力部の物理アドレスと切換先のＨＤＭＩ入力部の物理アドレスを引数にした＜Ｒｏｕｔｉｎｇ  Ｃｈａｎｇｅ＞［切換元物理アドレス］［切換先物理アドレス］をブロードキャストする。たとえば、図７に示すように、ＣＥＣスイッチ１１（物理アドレス：１．０．０．０）が、入力を入力１（物理アドレス１．１．０．０側）から入力２（物理アドレス１．２．０．０側）に切り換えた場合、＜Ｒｏｕｔｉｎｇ  Ｃｈａｎｇｅ＞［１．１．０．０］［１．２．０．０］をブロードキャストする。
【００５０】
この図７に示したように切り換えたのち、逆に、ＣＥＣスイッチ１１（物理アドレス：１．０．０．０）が、入力を入力２（物理アドレス１．２．０．０側）から入力１（物理アドレス１．１．０．０側）に切り換えた場合、＜Ｒｏｕｔｉｎｇ  Ｃｈａｎｇｅ＞［１．２．０．０］［１．１．０．０］をブロードキャストする。この第２の切り換えにより、第１の切り換えによってアクティブな経路から外れていたＣＥＣスイッチ１３からソース機器１９までの経路が再びアクティブなＡＶストリーム信号の伝送経路に含まれるようになる。
【００５１】
Ｒｏｕｔｉｎｇ  Ｃｈａｎｇｅメッセージが発行されることにより、アクティブなソース機器も切り換えられる。図７の例では、アクティブな機器が、ソース機器１９からソース機器１４に切り換えられる。これに応じて論理アドレス０のテレビ受像機１０から発行されるリモコン・パス・スルー・メッセージの宛先も１．１．２．１から１．２．０．０に切り換えられる。
【００５２】
《入力維持モードの説明》
以上のようなワンタッチプレー機能を備えたＨＤＭＩで接続されたＡＶシステムにおいて、ユーザが、特定のＡＶコンテンツをテレビ受像機１０で視聴しているとき、他のソース機器がＣＥＣメッセージしたことにより、テレビ受像機１０へのＡＶストリーム信号の伝送経路が切り換えられてしまう場合がある。例えば、ユーザがテレビ放送を視聴しているときにＨＤＤレコーダが録画等のために起動してＡｃｔｉｖｅ  Ｓｏｕｒｃｅメッセージが出力された場合、ユーザがＨＤＤレコーダの録画コンテンツを視聴しているときにＳＴＢ（セット・トップ・ボックス）がＥＰＧ（電子番組表）の取得等のために起動してＡｃｔｉｖｅ  Ｓｏｕｒｃｅメッセージが出力された場合などである。
【００５３】
この実施形態のＡＶシステムでは、このような無用なＴＭＤＳラインの切り換えが行われないように、上記のようなＡＶストリーム信号の伝送経路の切り換えを要求するＣＥＣメッセージ（以下、切換要求メッセージと呼ぶ）によって、ＴＭＤＳラインの切り換えを行わないモードである入力維持モードを各機器に設定可能になっている。以下、入力維持モードについて説明する。
【００５４】
ユーザは、視聴するＡＶコンテンツを選択し、そのルート機器を指定して、そのソース機器からテレビ受像機１０に至るＡＶストリーム信号の伝送経路をアクティブにすると、ＡＶシステム中のＣＥＣスイッチに対して入力維持モードを設定する。この入力維持モードの設定はＣＥＣスイッチに対する直接の操作で設定すればよい。また、後述するようにＣＥＣラインを用いた特定のメッセージを用いて設定するようにしてもよい。入力維持モードが設定されると、いずれかの機器から切換要求メッセージが発行されても、各ＣＥＣスイッチはこのメッセージを無視してＴＭＤＳラインの切り換えは行わない。
【００５５】
ただし、Ａｃｔｉｖｅ  Ｓｏｕｒｃｅメッセージ、Ｓｅｔ  Ｓｔｒｅａｍ  Ｐａｔｈメッセージなどの切換要求メッセージがブロードキャスト発行されると、システム上の各機器は、このメッセージによりテレビ受像機１０に対してアクティブなソース機器が切り換わったものと認識する。仮にこの状態で放置した場合、リモコンパススルーのメッセージのように特定の機器、例えば現在ＴＶ受像機１０で再生中のソース機器を指定したメッセージが、切換要求メッセージによってアクティブになったと認識された機器宛に発行され、この切換要求メッセージを無視することによってＡＶストリーム信号の伝送経路が維持されている機器とは異なる機器に届いてしまう可能性がある。
【００５６】
そこで、入力維持モードが設定されているＣＥＣスイッチが切換要求メッセージによる切換対象となった場合、このＣＥＣメッセージを打ち消す（ＡＶストリーム信号の伝送経路を元にもどす）内容のＣＥＣメッセージ（以下、リバースメッセージと呼ぶ）をブロードキャスト発行する。このリバースメッセージにより、各機器が認識するアクティブなＡＶストリーム信号の伝送経路（アクティブなソース機器）を入力切換要求メッセージを無視してアクティブ状態が維持されているＡＶストリーム信号の伝送経路に一致させる。
【００５７】
ここで、リバースメッセージは、上記無視された切換要求メッセージによって接続されるはずであった入力の物理アドレスを切換元とし、維持している入力の物理アドレスを切換先とするＲｏｕｔｉｎｇ  Ｃｈａｎｇｅメッセージとすればよい。
【００５８】
なお、この場合において、テレビ受像機１０に内蔵のチューナを用いてテレビ放送を視聴する場合には、テレビ受像機１０自身がソース機器となる。
【００５９】
図８は、上記ＣＥＣスイッチの入力維持モードに関連する動作を示すフローチャートである。
【００６０】
図８（Ａ）は、入力維持モードを設定操作が行われた場合のＣＥＣスイッチの動作を示すフローチャートである。入力維持モードを設定する操作が行われると（Ｓ１）、入力維持モードを設定する（Ｓ２）。たとえば入力維持モードフラグをセットする。そして、現在の入力の切り換え状態を記憶する（Ｓ３）。この動作はＨＤＭＩ用のマイコンが行えばよい。
【００６１】
図８（Ｂ）は、切換要求メッセージが入力されたＣＥＣスイッチの動作を示すフローチャートである。切換要求メッセージを受信すると（Ｓ１１）、自装置が切換対象となっているかを判断する（Ｓ１２）。自装置が切換対象となっているとは、この切換要求メッセージが要求するＡＶストリーム信号の伝送経路をアクティブにするためには自装置の入力を切り換える必要があるという意味である。切換対象でなければ（Ｓ１２でＮＯ）、そのまま動作を終了する。切換対象になっていれば（Ｓ１２ＹＥＳ）、現在入力維持モードが設定されているかを判断する（Ｓ１３）。この判定は入力維持モードフラグがセットしているか否かなどで判定すればよい。入力維持モードが設定されていなければ（Ｓ１３でＮＯ）、ＨＤＭＩの入力（ＴＭＤＳライン）を切換要求メッセージの指示どおりに切り換える（Ｓ１４）。そして動作を終了する。入力維持モードが設定されていれば（Ｓ１３でＹＥＳ）、この切換要求メッセージを打ち消すようなリバースメッセージをブロードキャスト発行する（Ｓ１５）。そして動作を終了する。このフローチャートの動作は、メイン基板４０のＣＰＵの制御よって行えばよい。
【００６２】
図８（Ｃ）は、入力維持モードを解除する操作が行われた場合のＣＥＣスイッチの動作を示すフローチャートである。入力維持モードを解除する操作が行われると（Ｓ６）、入力維持モードを解除する（Ｓ７）。この処理は、たとえば入力維持モードフラグをリセットする処理である。
【００６３】
なお、入力維持モードを設定するＣＥＣスイッチは、システム内の一部のＣＥＣスイッチであってもよく、全部のＣＥＣスイッチであってもよい。
【００６４】
以下、図９〜図１２を参照して図２の構成のＡＶシステムにおいて、ＣＥＣスイッチ１３（物理アドレス：１．１．０．０）に対して入力維持モードが設定された場合について説明する。
【００６５】
図９、図１０は、ソース機器１７（物理アドレス：１．１．１．０）がアクティブ、且つ、ＣＥＣスイッチ１３（物理アドレス：１．１．０．０）に対して入力維持モードが設定された状態で、ソース機器２０（物理アドレス：１．１．２．２）からＡｃｔｉｖｅ  Ｓｏｕｒｃｅメッセージが発行された場合を説明する図である。
【００６６】
ソース機器２０が動作を開始してワンタッチプレーのメッセージである＜Ａｃｔｉｖｅ  Ｓｏｕｒｃｅ（１．１．２．２）＞がブロードキャストされる。このソース機器２０とテレビ受像機１０をつなぐ経路上にある機器が切換対象の機器である。ＣＥＣスイッチ１８（物理アドレス：１．１．２．０）は、上記経路をアクティブにするため、入力を入力２（物理アドレス１．１．２．２側）に切り換える。ＣＥＣスイッチ１１（物理アドレス：１．０．０．０）は、上記経路をアクティブにするため、入力を入力１（物理アドレス１．１．０．０側）に切り換える。また、テレビ受像機１０（物理アドレス：０．０．０．０）は、上記経路をアクティブにするため、入力を入力１（物理アドレス１．０．０．０側）に切り換える。一方、ＣＥＣスイッチ１３は、入力維持モードが適用されているため、入力が入力１（物理アドレス１．１．１．０側）に固定され、入力切換を行わない。
【００６７】
この状態では、ＴＶ受像機１０がＣＥＣ上認識しているアクティブなソース機器（アクティブなＡＶストリーム信号の伝送経路の最上流の機器）は、ソース機器２０（物理アドレス：１．１．２．２）となるが、ＣＥＣスイッチ１３が入力を切り換えなかったため、実際にＴＶ受像機１０で再生される映像（音声）は、ソース機器１７（物理アドレス：１．１．１．０）のものである。このままでは、ＴＶ受像機１０からのリモコンパススルー機能の操作対象がソース機器２０となり、ＴＭＤＳ経路で再生が継続されているソース機器とＣＥＣによる操作対象であるソース機器が不一致、すなわち、再生／操作の対象が不一致となってしまう。
【００６８】
そこで、入力維持モードが設定されているＣＥＣスイッチ１３が、＜Ｒｏｕｔｉｎｇ  Ｃｈａｎｇｅ＞［１．１．２．０］［１．１．１．０］をブロードキャストする。これにより、ＴＶ受像機１０を含むシステム上の機器が認識するアクティブなソース機器がソース機器１７に復帰する。これにより、上記再生／操作の対象の不一致が解消される。なお、ソース機器２０が＜Ａｃｔｉｖｅ  Ｓｏｕｒｃｅ＞［１．１．２．２］をブロードキャストしてから、ＣＥＣスイッチ１３が、＜Ｒｏｕｔｉｎｇ  Ｃｈａｎｇｅ＞［１．１．２．０］［１．１．１．０］をブロードキャストするまでの時間はわずかであるため、実質上、上記再生／操作の対象の不一致は発生しない。
【００６９】
図１１、図１２は、ソース機器１７（物理アドレス：１．１．１．０）がアクティブ、且つ、ＣＥＣスイッチ１３（物理アドレス：１．１．０．０）に対して入力維持モードが設定された状態で、テレビ受像機１０（物理アドレス：０．０．０．０）からＳｅｔ  Ｓｔｒｅａｍ  Ｐａｔｈメッセージが発行された場合を説明する図である。すなわち、ＴＶ受像機１０から切換要求メッセージがブロードキャストされた場合であっても入力維持モードの適用が可能である。
【００７０】
ＴＶ受像機１０がソース機器１９（物理アドレス：１．１．２．１）のコンテンツを表示させようとするとき、ＴＶ受像機１０は入力を入力１（物理アドレス１．０．０．０側）に切り換え、＜Ｓｅｔ  Ｓｔｒｅａｍ  Ｐａｔｈ＞［１．１．２．１］をブロードキャストする。ソース機器１９とテレビ受像機１０をつなぐＡＶストリーム信号の伝送経路上にある機器が切換対象の機器である。ＣＥＣスイッチ１１（物理アドレス：１．０．０．０）は、上記経路をアクティブにするため、入力を入力１（物理アドレス１．１．０．０側）に切り換える。ＣＥＣスイッチ１８（物理アドレス：１．１．２．０）は、上記経路をアクティブにするため、入力を入力１（物理アドレス１．１．２．１側）に切り換える。一方、ＣＥＣスイッチ１３は、入力維持モードが適用されているため、入力が入力１（物理アドレス１．１．１．０側）に固定され、入力切換を行わない。
【００７１】
この状態では、ＴＶ受像機１０がＣＥＣ上認識しているアクティブなソース機器は、ソース機器１９（物理アドレス：１．１．２．１）となるが、ＣＥＣスイッチ１３が入力を切り換えなかったため、実際にＴＶ受像機１０で再生される映像（音声）は、ソース機器１７（物理アドレス：１．１．１．０）のものである。このままでは、ＴＶ受像機１０からのリモコンパススルー機能の操作対象がソース機器１９となり、再生／操作の対象が不一致となってしまう。
【００７２】
そこで、入力維持モードが設定されているＣＥＣスイッチ１３が、＜Ｒｏｕｔｉｎｇ  Ｃｈａｎｇｅ＞［１．１．２．０］［１．１．１．０］をブロードキャストする。これにより、ＴＶ受像機１０を含むシステム上の機器が認識するアクティブなソース機器がソース機器１７に復帰する。これにより、上記再生／操作の対象の不一致が解消される。なお、テレビ受像機１０が＜Ｓｅｔ  Ｓｔｒｅａｍ  Ｐａｔｈ＞［１．１．２．１］をブロードキャストしてから、ＣＥＣスイッチ１３が、＜Ｒｏｕｔｉｎｇ  Ｃｈａｎｇｅ＞［１．１．２．０］［１．１．１．０］をブロードキャストするまでの時間はわずかであるため、実質上、上記再生／操作の対象の不一致は発生しない。
【００７３】
《尚書き》
なお、一般的なＡＶアンプは、ＨＤＭＩ入力部を備えておりリピータ機器に分類されるが、内蔵のラジオチューナの受信音声やアナログ入力のオーディオ信号などをＡＶストリーム信号としてＨＤＭＩ出力する場合があり、この場合、グラフィカルユーザーインターフェースを備えるなど映像出力可能な機器であればソース機器として振舞うことができる。このＡＶアンプをアクティブなソース機器として、すなわち、このＡＶアンプが生成したＡＶストリーム信号をテレビ受像機１０で再生するために入力維持モードが設定されている場合、このＡＶアンプは、他の機器からブロードキャストされた切換要求メッセージに対するリバースメッセージとして、Ｒｏｕｔｉｎｇ  Ｃｈａｎｇｅメッセージではなく、自分自身の物理アドレスをパラメータとしたＡｃｔｉｖｅ  Ｓｏｕｒｃｅメッセージをブロードキャストする。
【００７４】
以上の実施形態では、入力維持モードが設定されている間は、テレビ受像機１０が発行するＳｅｔ  Ｓｔｒｅａｍ  Ｐａｔｈメッセージも無視の対象となっているが、ユーザがテレビ受像機１０を操作することによって発行されるＳｅｔ  Ｓｔｒｅａｍ  Ｐａｔｈメッセージは有効としてＡＶストリーム信号の伝送経路を切り換えてもよい。このＳｅｔ  Ｓｔｒｅａｍ  Ｐａｔｈメッセージによって入力維持モードを自動的に解除してもよく、また、このＳｅｔ  Ｓｔｒｅａｍ  Ｐａｔｈメッセージによってアクティブになった経路（ソース機器）を維持対象として入力維持モードを継続してもよい。
【００７５】
《変形例》
上記実施形態では、それぞれの機器に対して直接操作することによって、入力維持モードを設定／解除している。入力維持モードの設定／解除をＣＥＣラインを用いたメッセージでシステム全体で一括して行えるようにしてもよい。以下、このような実施形態について説明する。
【００７６】
ユーザは、視聴するＡＶコンテンツを選択し、そのルート機器を指定して、そのソース機器からテレビ受像機１０に至るＡＶストリーム信号の伝送経路をアクティブにすると、ＡＶシステムの全機器に対して入力維持モードを設定する。この入力維持モードの設定はＣＥＣのメッセージを用いて行えばよい。入力維持モードが設定されると、いずれかの機器から切換要求メッセージが発行されても、各ＣＥＣスイッチはこのメッセージを無視してＴＭＤＳラインの切り換えは行わない。
【００７７】
図１３（Ａ）は、テレビ受像機１０に入力維持モード設定の操作が行われた場合のテレビ受像機１０の動作を示すフローチャートである。ユーザにより、入力維持モードを設定する操作が行われると（Ｓ２１）、自装置に入力維持モードを設定する（Ｓ２２）。たとえば、入力維持モードフラグをセットする。そして入力維持モードを設定する旨のＣＥＣメッセージをブロードキャストする（Ｓ２３）。なお、Ｓ２の入力維持モードの設定（フラグのセット）はＨＤＭＩ用のマイコン３１が行い、Ｓ１およびＳ３の動作はメイン基板３０のＣＰＵが行えばよい。
【００７８】
図１３（Ｂ）は、入力維持モードを設定するＣＥＣメッセージを受信した場合の各機器の動作を示すフローチャートである。入力維持モードを設定する旨のＣＥＣメッセージを受信すると（Ｓ２６）、自装置に入力維持モードを設定する（Ｓ２７）。たとえば入力維持モードフラグをセットする。そして、現在の入力の切り換え状態を記憶する（Ｓ２８）。この動作はＨＤＭＩ用のマイコンが行えばよい。以上の図１３（Ａ）、（Ｂ）の処理により、ＡＶシステム全体に入力維持モードが設定される。
【００７９】
図１３（Ｃ）は、テレビ受像機１０に入力維持モード解除の操作が行われた場合のテレビ受像機１０の動作を示すフローチャートである。ユーザにより、入力維持モードを解除する操作が行われると（Ｓ３１）、自装置の入力維持モードを解除する（Ｓ３２）。この処理は、たとえば入力維持モードフラグをリセットする処理である。そして入力維持モードを解除する旨のＣＥＣメッセージをブロードキャストする（Ｓ３３）。
【００８０】
図１３（Ｄ）は、入力維持モードを解除するＣＥＣメッセージを受信した場合の各機器の動作を示すフローチャートである。入力維持モードを解除する旨のＣＥＣメッセージを受信すると（Ｓ３６）、自装置の入力維持モードを解除する（Ｓ３７）。この処理は、たとえば入力維持モードフラグをリセットする処理である。以上の図１３（Ｃ）、（Ｄ）の処理により、ＡＶシステムの入力維持モードが解除される。
【００８１】
なお、ユーザが入力維持モードの設定／解除の操作を行う機器はテレビ受像機１０に限定されない。また、入力維持モードをシステム全体に通知する手段はＣＥＣメッセージに限定されない。
【００８２】
また、システム全体に入力維持モードを設定るすメッセージ以外に、個別の機器（ＣＥＣスイッチ）に対して入力維持モードの設定指示するメッセージを設けてもよい。
【符号の説明】
【００８３】
１０  シンク機器（テレビ受像機、ルートデバイス）
１１，１２，１３，１８  ＣＥＣスイッチ
１４，１５，１６，１７，１９，２０  ソース機器
３２，４２，５２  ＣＥＣインタフェース
３６，４６，４７  ＨＤＭＩ入力部
４８，５８  ＨＤＭＩ出力部
【図１】
0005565397.tif 000002
【図２】
0005565397.tif 000003
【図３】
0005565397.tif 000004
【図４】
0005565397.tif 000005
【図５】
0005565397.tif 000006
【図６】
0005565397.tif 000007
【図７】
0005565397.tif 000008
【図８】
0005565397.tif 000009
【図９】
0005565397.tif 000010
【図１０】
0005565397.tif 000011
【図１１】
0005565397.tif 000012
【図１２】
0005565397.tif 000013
【図１３】
0005565397.tif 000014